(57)【要約】      （修正有）【課題】ジェスチャーコントロールモジュール化システムを提供する。【解決手段】ジェスチャーコントロールモジュール化システムは、ハウジング３、コントロールユニット、ジェスチャー識別ユニット５、無線伝送ユニット、マイク７及びスピーカー８を有する。マイク７とスピーカー８をモジュール化して統合することにより使用者はあらゆる場所でジェスチャー変化を利用しモバイル通信デバイス２の着信を受けることができる。ジェスチャー識別ユニット５が使用者の少なくともどちらか一方の手のジェスチャーをキャプチャー、感知及び識別することで、使用者はあらゆる場所でモバイル通信デバイス２の着信を受けられる。マイク７とスピーカー８を結合したことにより、あらゆる場所で使用でき、プラグアンドプレイが可能で、システム設置コストを引き下げられる。【選択図】図１
2017204859.tif 000002
【特許請求の範囲】
【請求項１】
ジェスチャーコントロールモジュール化システムであって、使用者は少なくともどちらか一方の手のジェスチャーを通して、モバイル通信デバイスの着信を受け取り、或いはネットワーク操作を行うことができ、
前記ジェスチャーコントロールモジュール化システムは、少なくともハウジング、コントロールユニット、ジェスチャー識別ユニット、無線伝送ユニット、マイク、スピーカーを有し、
前記ハウジング内部には、収容空間を形成し、
前記コントロールユニットは、前記収容空間内に設置され、
前記ジェスチャー識別ユニットは、前記収容空間内に設置され、前記ジェスチャー識別ユニットは、イメージキャプチャーモジュール、及び前記イメージキャプチャーモジュールと前記コントロールユニットにそれぞれ電気的に連接するジェスチャー識別モジュールを有し、前記イメージキャプチャーモジュールは、前記使用者の少なくともどちらか一方の手のジェスチャーの画像をキャプチャーし、前記ジェスチャー識別モジュールに伝送して比較対照後、対応する操作コマンドを前記コントロールユニットに戻し、
前記無線伝送ユニットは、前記収容空間内に設置され、前記コントロールユニットに電気的に連接され、前記無線伝送ユニットは、ワイヤレス通信プロトコルを経て前記モバイル通信デバイスに連接し、前記コントロールユニットと前記モバイル通信デバイスとの間の通信を行い、
前記マイクは、前記無線伝送ユニットに電気的に連接し、前記マイクは、前記収容空間に設置され、前記ハウジングの外側に露出し、こうして前記使用者の音声を受け取り、
前記スピーカーは、前記無線伝送ユニットに電気的に連接し、前記スピーカーは、前記収容空間に設置され、前記ハウジングの外側に露出し、前記モバイル通信デバイスの着信者の音声を出力することを特徴とするジェスチャーコントロールモジュール化システム。
【請求項２】
前記収容空間には、電源管理ユニットをさらに設置し、前記ジェスチャーコントロールモジュール化システムが必要とする電力を供給し、
前記電源管理ユニットは、充電式電池或いは接続電源の内の一つのデバイスで、しかも前記接続電源は、ＵＳＢ接続ポートを使用して、外界が供給する電源に連接することを特徴とする請求項１に記載のジェスチャーコントロールモジュール化システム。
【請求項３】
前記コントロールユニットは、マイクロコントローラー或いはＣＰＵの内の一つのデバイスにより実現され、
前記イメージキャプチャーモジュールは、カメラであることを特徴とする請求項１に記載のジェスチャーコントロールモジュール化システム。
【請求項４】
前記ジェスチャー識別モジュールは、９組の手のジェスチャーを内蔵し、しかも前記各組の手のジェスチャーは、対応する操作コマンドを代表し、
前記ジェスチャー識別モジュールは、比較対照モジュールをさらに内蔵し、前記比較対照モジュールは、前記イメージキャプチャーモジュールが伝送する使用者の手のジェスチャーと前記ジェスチャー識別モジュール内蔵の手のジェスチャーの比較対照動作を行うことを特徴とする請求項１に記載のジェスチャーコントロールモジュール化システム。
【請求項５】
前記ワイヤレス通信プロトコルは、ブルートゥース（登録商標）通信、赤外線通信、近距離無線通信、ＷＬＡＮ、ＷｉＧｉｇ、ＺｉｇＢｅｅ（登録商標）、ワイヤレスＵＳＢ、超広帯域無線或いはＷｉ-Ｆｉ（登録商標）の内の一つのプロトコル或いは二者以上の組合せで、
前記ジェスチャーコントロールモジュール化システムと前記モバイル通信デバイスとの間の通信とネットワークの機能を果たすことを特徴とする請求項１に記載のジェスチャーコントロールモジュール化システム。
【発明の詳細な説明】
【技術分野】
【０００１】
本発明はジェスチャーコントロールモジュール化システムに関し、マイクとスピーカーをモジュール化して統合するジェスチャーコントロールシステムで、使用者はあらゆる場所でジェスチャー変化を利用しモバイル通信デバイスの着信を受けることができるジェスチャーコントロールモジュール化システムに関する。
【背景技術】
【０００２】
テクノロジーの発展は日進月歩で、モバイル通信デバイスであるスマートフォンはすでに人類の生活と切っても切れない関係にある。
仕事であろうと遊びであろうと、スマートフォンは人類の生活において重要な地位を占めている。
特に何においてもスピードが求められる今日、事務処理の利便性を高められるスマートフォンは、日常生活において欠くべからざるものである。
また、社会の進歩は、人々の出かける機会を増やしているが、渋滞或いはさまざまな原因で、人々が車内にいる時間は長くなる可能性がある。
よって、車内でモバイル通信デバイスを使用する機会も、大幅に増えている。      
しかし、運転者が車両走行中に電話を手に持ち通話すれば、運転者はハンドルをしっかりコントロールできなくなり、交通事故の可能性は拡大する。
さらに、職場或いはある場所にいる人々が、もし両手がふさがった状態（例えば、陶芸或いはパン作り）にあれば、電話を取ることができず、重要な情報或いはビジネスを逃してしまうこともある。
【０００３】
近年ではすでに多くの研究が上述の問題を解決している。
例えば、特許文献１に開示する「車載通話デバイス取上げ不要及びその方法」と特許文献２に開示する「ジェスチャー感知コントロールに基づく車載便利取上げブルートゥース（登録商標）再生／通話システム」がある。
しかし、特許文献１の技術特徴によれば、車両の車速センサーに連接する必要があるが、この種の侵入式車載システムは使用者が自ら取り付けることはできない。
しかも、もともとの車両のハードウエア或いはソフトウエア設定を破壊しやすいという欠点があり、それが使用するＡＲＭ９高性能メインコントローラーとカメラレンズの組合せも、システムの体積を大きく拡大してしまい、コンパクト化が求められる昨今のニーズに符合していない。
また、特許文献２の技術特徴によれば、それが使用する赤外線受信／発信器とジェスチャー識別センサーはすべて独立システムである。
これでは、コンパクト化を追求する今日に求められるシステム配置に合わず、しかも独立システムの耐用性は、モジュール化された設計に劣る。
さらに、現在市場では、ジェスチャー識別システムを運転システム中に内蔵した車両が見られ、これにより使用者は手の動きで車両システムを操作することができる。
しかし、ジェスチャー識別システムを内蔵した車種は、多くが輸入車で、その価格がもともと安くない上に、ジェスチャー識別システムを追加すれば、さらに高価になってしまい、一般市民に手を出せるものではない。
よって、モジュール化したハードウエア設計により、あらゆる場所で、簡単な手の動きでモバイル通信デバイスの着信を受け取ることができるようにすることが、ジェスチャー識別システム等関連産業の開発業者と関連研究人員が解決を目指している課題である。
【先行技術文献】
【特許文献】
【０００４】
【特許文献１】中国特許第ＣＮ１０３２４８７４３号明細書
【特許文献２】中国特許第ＣＮ２０３７１９３２号明細書
【発明の概要】
【発明が解決しようとする課題】
【０００５】
前記先行技術には、車用ジェスチャーコントロールシステムを自動車システム内に統合するため、製造コストと複雑性が過度に高いという欠点がある。
【課題を解決するための手段】
【０００６】
本発明はマイクとスピーカーをモジュール化して統合するジェスチャーコントロールシステムで、使用者はあらゆる場所でジェスチャー変化を利用しモバイル通信デバイスの着信を受けることができ、ジェスチャー識別ユニットにより、使用者の少なくともどちらか一方の手のジェスチャーをキャプチャーし、感知し、識別し、これにより使用者はあらゆる場所でモバイル通信デバイスの着信を受けることができ、マイクとスピーカーを結合したモジュール化設計により、あらゆる場所で使用でき、プラグアンドプレイが可能で、システム設置コストを引き下げられるジェスチャーコントロールモジュール化システムに関する。
【０００７】
本発明によるジェスチャーコントロールモジュール化システムにより、使用者は少なくともどちらか一方の手のジェスチャーを通してモバイル通信デバイスの着信を受け、或いはネットワーク操作が行える。
該ジェスチャーコントロールモジュール化システムは、少なくともハウジング、コントロールユニット、ジェスチャー識別ユニット、無線伝送ユニット、マイク、及びスピーカーを有する。
該ハウジング内部には、収容空間を形成する。
該コントロールユニットは、該収容空間内に設置される。
該ジェスチャー識別ユニットは、該収容空間内に設置される。
該ジェスチャー識別ユニットは、イメージキャプチャーモジュール、及びイメージキャプチャーモジュールとコントロールユニットにそれぞれ電気的に連接するジェスチャー識別モジュールを有する。
該イメージキャプチャーモジュールは、使用者の少なくともどちらか一方の手のジェスチャーの画像をキャプチャーし、ジェスチャー識別モジュールに伝送して比較後、対応する操作コマンドを、コントロールユニットに戻す。
該無線伝送ユニットは、収容空間内に設置され、該コントロールユニットに電気的に連接される。
該無線伝送ユニットは、ワイヤレス通信プロトコルを経てモバイル通信デバイスに連接し、該コントロールユニットと該モバイル通信デバイスとの間の通信を行う。
該マイクは、無線伝送ユニットに電気的に連接する。
該マイクは、該収容空間内に設置され、該ハウジングの外側に露出し、使用者の音声を受け取る。
該スピーカーは、無線伝送ユニットに電気的に連接し、該スピーカーは、収容空間内に設置され、ハウジングの外側に露出し、モバイル通信デバイスの着信者の音声を出力する。
【０００８】
上記したジェスチャーコントロールモジュール化システムの収容空間には、電源管理ユニットをさらに設置し、該ジェスチャーコントロールモジュール化システムが必要とする電力を供給する。
【０００９】
上記したジェスチャーコントロールモジュール化システムにおいて、該電源管理ユニットは、充電式電池或いは接続電源等の内の一種のデバイスである。
【００１０】
上記したジェスチャーコントロールモジュール化システムにおいて、接続電源は、ＵＳＢ接続ポートを使用して、外界が供給する電源に連接する。
【００１１】
上記したジェスチャーコントロールモジュール化システムにおいて、該コントロールユニットは、マイクロコントローラー（Ｍｉｃｒｏｃｏｎｔｒｏｌｌｅｒ  Ｕｎｉｔ、ＭＣＵ）或いはＣＰＵ（Ｃｅｎｔｒａｌ  Ｐｒｏｃｅｓｓｉｎｇ  Ｕｎｉｔ）等の内の一種のデバイスにより実現される。
【００１２】
上記したジェスチャーコントロールモジュール化システムにおいて、該イメージキャプチャーモジュールは、カメラである。
【００１３】
上記したジェスチャーコントロールモジュール化システムにおいて、該ジェスチャー識別モジュールは、９組の手のジェスチャーを内蔵し、しかも該各組の手のジェスチャーは、対応する操作コマンドを代表する。
【００１４】
上記したジェスチャーコントロールモジュール化システムにおいて、該ジェスチャー識別モジュールは、比較対照モジュールをさらに内蔵し、該比較対照モジュールは、イメージキャプチャーモジュールが伝送する使用者の手のジェスチャーと該ジェスチャー識別モジュール内蔵の手のジェスチャーの比較対照動作を行う。
【００１５】
上記したジェスチャーコントロールモジュール化システムにおいて、該ワイヤレス通信プロトコルは、ブルートゥース（登録商標）（Ｂｌｕｅｔｏｏｔｈ（登録商標））通信、赤外線（Ｉｎｆｒａｒｅｄ、ＩＲ）通信、近距離無線通信（Ｎｅａｒ  Ｆｉｅｌｄ  Ｃｏｍｍｕｎｉｃａｔｉｏｎ、ＮＦＣ）、ＷＬＡＮ（Ｗｉｒｅｌｅｓｓ  Ｌｏｃａｌ  Ａｒｅａ  Ｎｅｔｗｏｒｋ）、ＷｉＧｉｇ（Ｗｉｒｅｌｅｓｓ  Ｇｉｇａｂｉｔ  Ａｌｌｉａｎｃｅ）、ＺｉｇＢｅｅ（登録商標）、ワイヤレスＵＳＢ（Ｗｉｒｅｌｅｓｓ  ＵＳＢ）、超広帯域無線（Ｕｌｔｒａ  Ｗｉｄｅ  Ｂａｎｄ、ＵＷＢ）或いはＷｉ-Ｆｉ（登録商標）等の内の一種のプロトコル或いは二者以上の組合せで、これによりジェスチャーコントロールモジュール化システムとモバイル通信デバイス間の通信とネットワークの機能を提供する。
【００１６】
上記したように、本発明のジェスチャーコントロールモジュール化システムは、ジェスチャー識別ユニットにより、使用者の少なくともどちらか一方の手のジェスチャーをキャプチャーし、感知し、識別し、これにより使用者はあらゆる場所でモバイル通信デバイスの着信を受けることができ、マイクとスピーカーを結合したモジュール化設計により、あらゆる場所で使用でき、プラグアンドプレイが可能で、システム設置コストを引き下げられる。
また、本発明のジェスチャーコントロールモジュール化システムは、マイクとスピーカーを統合したモジュール化設計により、車両運転システムに内蔵する従来の車載ジェスチャーコントロールシステムの、設置コストが高く、使用者が自ら取り付けできないという欠点を解決でき、プラグアンドプレイと取り付けが便利な統合モジュール形態の設計により、あらゆる車種に配備可能という優位を達成し、車両走行中にモバイル通信デバイスを使用して通話する際の安全性を高めることができる。
さらに、本発明のジェスチャーコントロールモジュール化システムは、使用者の両手がふさがり、電話を手で持って通話できない状況でも使用でき、例えば、陶芸或いはパン作りの状況下で、使用者は本発明のジェスチャーコントロールモジュール化システム前方の適当な位置で、手を振るジェスチャーをするだけで、着信を受けることができ、重要な情報とビジネスを一切漏らさないという優位を達成することができる。
【発明の効果】
【００１７】
本発明のジェスチャーコントロールモジュール化システムは、ブルートゥース（登録商標）４．２以上の無線伝送規格により設定し、あらゆる場所のモバイル通信デバイス連接とＩｏＴ（Ｉｎｔｅｒｎｅｔ  ｏｆ  Ｔｈｉｎｇｓ）の機能を提供し、その伝送速度とパケット容量を強化し、安全性とプライバシー保護を向上させられ、ブルートゥース（登録商標）技術による高いサポート性と低消費電力の優位を享受できる。
【図面の簡単な説明】
【００１８】
【図１】本発明によるジェスチャーコントロールモジュール化システムの一実施形態のシステムとモバイル通信デバイスとが連接する様子を示す模式図である。
【図２】本発明によるジェスチャーコントロールモジュール化システムの一実施形態のシステム内部構造ブロックチャートである。
【図３】本発明によるジェスチャーコントロールモジュール化システムの一実施形態のジェスチャー識別モジュール内蔵の手のジェスチャーの模式図である。
【発明を実施するための形態】
【００１９】
本発明によるジェスチャーコントロールモジュール化システムの一実施形態のシステムとモバイル通信デバイスとが連接する様子を示す模式図、システム内部構造ブロックチャート、及びジェスチャー識別モジュール内蔵の手のジェスチャーの模式図である図１〜図３（Ａ）〜（Ｅ）に示す通り、本発明のジェスチャーコントロールモジュール化システムにより、使用者は少なくともどちらか一方の手のジェスチャー１を通して、モバイル通信デバイス２の着信を受け取り、或いはネットワーク操作を行うことができる。ジェスチャーコントロールモジュール化システムは、少なくともハウジング３、コントロールユニット４、ジェスチャー識別ユニット５、無線伝送ユニット６、マイク７、スピーカー８を有する。
【００２０】
ハウジング３内部には、収容空間３１を形成する。
【００２１】
コントロールユニット４は、収容空間３１内に設置される。
また、コントロールユニット４は、マイクロコントローラー（ＭＣＵ）或いはＣＰＵ等の内の一種のデバイスにより実現される。
本発明の一実施形態中では、コントロールユニット４は、マイクロコントローラー（ＭＣＵ）で、使用者が手のジェスチャーによりモバイル通信デバイス２の着信を受け取る操作を処理する。
【００２２】
ジェスチャー識別ユニット５は、収容空間３１内に設置される。
ジェスチャー識別ユニット５は、イメージキャプチャーモジュール５１、及びイメージキャプチャーモジュール５１とコントロールユニット４にそれぞれ電気的に連接するジェスチャー識別モジュール５２を有する。
イメージキャプチャーモジュール５１は、使用者の少なくともどちらか一方の手のジェスチャー１の画像をキャプチャーし、ジェスチャー識別モジュール５２に伝送して比較後、対応する操作コマンドを、コントロールユニット４に戻す。
本発明の一実施形態中では、イメージキャプチャーモジュール５１は、カメラで、ジェスチャー識別モジュール５２は、９組の手のジェスチャー１を内蔵し、しかも各組の手のジェスチャー１は、対応する操作コマンドを代表する。
本発明のジェスチャーコントロールモジュール化システムは、その内の５個の手のジェスチャー１だけを使用し、モバイル通信デバイス２の着信と関連操作を行う。
また、ジェスチャー識別モジュール５２は、比較対照モジュール（図示なし）をさらに有する。
比較対照モジュールは、イメージキャプチャーモジュール５１が伝送する使用者の手のジェスチャー１とジェスチャー識別モジュール５２内蔵の手のジェスチャー１の比較対照動作を行い、比較対照モジュールが、使用者の手のジェスチャー１とジェスチャー識別モジュール５２内蔵の内の一個の手のジェスチャー１とが相同だと確認したなら、ジェスチャー識別モジュール５２は、手のジェスチャー１が対応する操作コマンドを、コントロールユニット４に伝送する。
例えば、図３（Ａ）の手のジェスチャー１は、「電話を取る（ｐｉｃｋ  ｕｐ）」に対応する操作コマンドのピックアップジェスチャー１１で、使用者が、イメージキャプチャーモジュール５１のキャプチャー可能範囲内で、手を下から上へと動かすと、比較対照モジュールは、使用者の手のジェスチャー１とジェスチャー識別モジュール５２内蔵の手のジェスチャー１とを比較して相同であれば、コントロールユニット４は、モバイル通信デバイス２着信を受けるコマンドを起動し、こうして使用者は電話を取る。
同様に、図３（Ｂ）の手のジェスチャー１は「電話を切る（ｈａｎｇ  ｕｐ）」の操作コマンドのハングアップジェスチャー１２である。
使用者が手を左右に振る動作を行うと、モバイル通信デバイス２の通話を終了することができる。
図３（Ｃ）の手のジェスチャー１は、「受け取らない（Ｒｅｊｅｃｔ）」に対応する操作コマンドのリジェクトジェスチャー１３で、使用者が手を左から右へと動かすと、モバイル通信デバイス２の着信を拒絶することができる。
最後に、使用者が着信を取ると同時に、着信者の音量を調整しようとする時には、図３（Ｄ）と（Ｅ）の音量拡大ジェスチャー１４と音量縮小ジェスチャー１５のように、時計回りに手を回すジェスチャー１は音量を拡大でき、反対に、逆時計回りに手を回すジェスチャー１は音量を縮小できる。
上述の手のジェスチャー１の種類は、説明の便のための例に過ぎず、本発明を制限するものではない。
しかも、該項技術の習熟者なら、異なる種類の手のジェスチャー１が、モバイル通信デバイス２の異なる機能をコントロールすることは分かるはずで、本発明の実際の実施に影響を与えることはない。
【００２３】
無線伝送ユニット６は、収容空間３１内に設置され、コントロールユニット４に電気的に連接される。
無線伝送ユニット６は、ワイヤレス通信プロトコルを経てモバイル通信デバイス２に連接し、コントロールユニット４とモバイル通信デバイス２との間の通信を行う。
また、ワイヤレス通信プロトコルは、ブルートゥース（登録商標）通信、赤外線通信、近距離無線通信（ＮＦＣ）、ＷＬＡＮ、ＷｉＧｉｇ、ＺｉｇＢｅｅ（登録商標）、ワイヤレスＵＳＢ（Ｗｉｒｅｌｅｓｓ  ＵＳＢ）、超広帯域無線（ＵＷＢ）或いはＷｉ-Ｆｉ（登録商標）等の内の一種のプロトコル或いは二者以上の組合せで、これにより、本発明のジェスチャーコントロールモジュール化システム内蔵の無線伝送ユニット６とモバイル通信デバイス２とは、通信とネットワークの機能を行うことができる。
本発明の一実施形態中では、無線伝送ユニット６は、ブルートゥース（登録商標）通信プロトコルにより、モバイル通信デバイス２と無線連接を行い、コントロールユニット４とモバイル通信デバイス２との間の通信を行う。
また、ブルートゥース（登録商標）通信は、ブルートゥース（登録商標）４．２以上の規格をさらに有し、これによりあらゆる場所のモバイル通信デバイス２はＩｏＴの機能を有し、伝送速度とパケット容量を強化でき、安全性とプライバシー保護を向上させられ、ブルートゥース（登録商標）技術による高いサポート性と低消費電力の優位を享受できる。
上述のワイヤレス通信プロトコルの種類は、説明の便のための例に過ぎず、本発明を制限するものではない。
しかも、該項技術の習熟者なら、異なるワイヤレス通信プロトコルの種類が、異なる技術と帯域幅をサポートし伝送できることは分かるはずで、本発明の実際の実施に影響を与えることはない。
【００２４】
マイク７は、無線伝送ユニット６に電気的に連接する。
マイク７は、収容空間３１内に設置され、ハウジング３の外側に露出し、使用者の音声を受け取る。
また、マイク７は、無線或いは有線等の内の一種の方式で、無線伝送ユニット６と相互に連接し、使用者の音声を受け取り、モバイル通信デバイス２へと送る。
【００２５】
スピーカー８は、無線伝送ユニット６に電気的に連接する。
スピーカー８は、収容空間３１内に設置され、ハウジング３の外側に露出し、モバイル通信デバイス２の着信者の音声を出力する。
また、スピーカー８は、無線或いは有線等の内の一種の方式で、無線伝送ユニット６と相互に連接し、着信者の音声を出力する。
【００２６】
また、収容空間３１には、電源管理ユニット９をさらに設置し、ジェスチャーコントロールモジュール化システムが必要な電力を供給する。
電源管理ユニット９は、充電式電池或いは接続電源等の内の一種のデバイスである。
本発明の一実施形態中では、電源管理ユニット９は、ＵＳＢ接続ポートを使用して、外部供給の電源に連接する接続電源方式で、例えば、電源管理ユニット９は、ＵＳＢ接続ポート方式で、車内のシガーソケットに連接して供給される電源で、ジェスチャーコントロールモジュール化システムが必要な電力を提供する。
【００２７】
本発明によるジェスチャーコントロールモジュール化システムの具体的実施形態を以下に説明し、本発明のジェスチャーコントロールモジュール化システムの応用の範囲を証明するが、何らかの形式に本発明の範囲を制限するものではない。
路上の車両も歩行者も拡大を続けている今日、使用者が、車両上でモバイル通信デバイス２の着信を受けようとする時には、車内に本発明のジェスチャーコントロールモジュール化システムを取り付けることで、プラグアンドプレイの簡単なデバイスで、システム設置のコストを低下させ、車両走行の高度な安全を維持することができる。
まず、マイクロコントローラー（ＭＣＵ）のコントロールユニット４を準備し、使用者の手のジェスチャー１によりモバイル通信デバイス２着信を受ける操作を処理する。
続いて、ジェスチャー識別ユニット５とコントロールユニット４を電気的に連接する。
ジェスチャー識別ユニット５は、カメラを有するイメージキャプチャーモジュール５１、及びイメージキャプチャーモジュール５１とコントロールユニット４にそれぞれ電気的に連接するジェスチャー識別モジュール５２を有する。
カメラが、使用者の少なくともどちらか一方の手のジェスチャー１の画像をキャプチャー後、画像を、ジェスチャー識別モジュール５２に送り、比較対照する。
最後に、対応する操作コマンドを、コントロールユニット４に送る。
ジェスチャー識別モジュール５２は、９組の手のジェスチャー１を内蔵し、各組の手のジェスチャー１は対応する操作コマンドを代表する。
本発明はその内の５個の手のジェスチャー１だけを使用し、モバイル通信デバイス２の着信を受ける関連操作を行う。
ジェスチャー識別モジュール５２は、比較対照モジュールを内蔵し、カメラが伝送する使用者の手のジェスチャー１とジェスチャー識別モジュール５２が内蔵する手のジェスチャー１の比較対照動作を行う。
【００２８】
比較対照モジュールが、使用者の手のジェスチャー１と内蔵する内の１個の手のジェスチャー１が相同だと確認すると、ジェスチャー識別モジュール５２は、対応する操作コマンドをコントロールユニット４に伝送する。
続いて、無線伝送ユニット６とコントロールユニット４を電気的に連接する。
無線伝送ユニット６は、ブルートゥース（登録商標）通信プロトコルにより、モバイル通信デバイス２と無線連接を行い、コントロールユニット４とモバイル通信デバイス２との間の通信を行う。
その後、マイク７とスピーカー８を、無線伝送ユニット６に電気的に連接する。
マイク７は、使用者の音声を受け取り、モバイル通信デバイス２に送り、スピーカー８は、モバイル通信デバイス２の着信者の音声を出力する。
こうして、本発明のシステム設定を完了する。
最後に、上述のシステムをハウジング３の収容空間３１中に入れ、これによりマイク７とスピーカー８は、ハウジング３の外側に露出する。
ハウジング６には、電源管理ユニット９をさらに設置する。
電源管理ユニット９は、は、ＵＳＢ接続ポートを使用し、車両が供給する電源に連接する接続電源方式で、本発明のジェスチャーコントロールモジュール化システムが必要とする電力を供給する。
これにより、使用者は、本発明のジェスチャーコントロールモジュール化システムを車内の適当な位置に設置でき、ＵＳＢ接続ポートにより車両が提供する電源に接続し、本発明のジェスチャーコントロールモジュール化システムとモバイル通信デバイス２が、ブルートゥース（登録商標）通信プロトコル無線により連接されると、使用者は、本発明のジェスチャーコントロールモジュール化システムとモバイル通信デバイス２を使用し、通信とネットワークの機能を使用することができる。
【００２９】
モバイル通信デバイス２に着信があると、使用者は、対応する５個の手のジェスチャー１を使用し着信の操作を行い、また使用者は、手をイメージキャプチャーモジュール５１のカメラがキャプチャー可能な範囲内に置き、下から上へと動かし電話を受け、或いは左右に動かし着信を切り、或いは左から右へと動かし電話を拒否し、或いは時計回りに回して音量を拡大し、及び逆時計回りに回して音量を縮小する等のモバイル通信デバイス２の着信操作を行うことができる。こうして、使用者は簡単な手のジェスチャー１で、しかもモバイル通信デバイス２に触れる必要がなく、及びマイク７とスピーカー８を結合したプラグアンドプレイのモジュール化設計は、ブルートゥース（登録商標）通信プロトコルにより着信を受け、またＩｏＴ操作等の機能を実行でき、システム設置のコストを低下させ、車両走行の高度な安全を維持することができる。
【００３０】
上述の説明により明らかなように、本発明のジェスチャーコントロールモジュール化システムは以下の長所を備える。
1.本発明のジェスチャーコントロールモジュール化システムは、ジェスチャー識別ユニットにより、使用者の少なくともどちらか一方の手のジェスチャーをキャプチャーし、感知し、識別し、これにより使用者はあらゆる場所でモバイル通信デバイスの着信を受けることができ、マイクとスピーカーを結合したモジュール化設計により、あらゆる場所で使用でき、プラグアンドプレイが可能で、システム設置コストを引き下げられる。
2.本発明のジェスチャーコントロールモジュール化システムは、マイクとスピーカーを統合したモジュール化設計により、車両運転システムに内蔵する従来の車載ジェスチャーコントロールシステムの、設置コストが高く、使用者が自ら取り付けできないという欠点を解決でき、プラグアンドプレイと取り付けが便利な統合モジュール形態の設計により、あらゆる車種に配備可能という優位を達成し、車両走行中にモバイル通信デバイスを使用して通話する際の安全性を高めることができる。
3.本発明のジェスチャーコントロールモジュール化システムは、使用者の両手がふさがり、電話を手で持って通話できない状況でも使用でき、例えば、陶芸或いはパン作りの状況下で、使用者は本発明のジェスチャーコントロールモジュール化システム前方の適当な位置で、手を振るジェスチャーをするだけで、着信を受けることができ、重要な情報とビジネスを一切漏らさないという優位を達成することができる。
4.本発明のジェスチャーコントロールモジュール化システムは、ブルートゥース（登録商標）４．２以上の無線伝送規格により設定し、あらゆる場所のモバイル通信デバイス連接とＩｏＴの機能を提供し、その伝送速度とパケット容量を強化し、安全性とプライバシー保護を向上させられ、ブルートゥース（登録商標）技術による高いサポート性と低消費電力の優位を享受できる。
【００３１】
前述した本発明の実施形態は本発明を限定するものではなく、よって、本発明により保護される範囲は後述される特許請求の範囲を基準とする。
【符号の説明】
【００３２】
１  手のジェスチャー
１１  ピックアップジェスチャー
１２  ハングアップジェスチャー
１３  リジェクトジェスチャー
１４  音量拡大ジェスチャー
１５  音量縮小ジェスチャー
２  モバイル通信デバイス
３  ハウジング
３１  収容空間
４  コントロールユニット
５  ジェスチャー識別ユニット
５１  イメージキャプチャーモジュール
５２  ジェスチャー識別モジュール
６  無線伝送ユニット
７  マイク
８  スピーカー
９  電源管理ユニット
【図１】
2017204859.tif 000003
【図２】
2017204859.tif 000004
【図３】
2017204859.tif 000005